(57)【特許請求の範囲】
【請求項１】
現金管理装置本体と、
該現金管理装置本体に対してスライド開閉可能に設けられ引き出された開状態で現金が入出庫可能となる複数の収納部と、
収納部からの現金の取り出しを可能とする出庫モードおよび収納部への現金の収納を可能とする入庫モードの実行が可能であるとともに収納部の現金の入出庫を管理する制御手段とを有する現金管理装置であって、
前記制御手段は、複数の収納部間での現金の移動を可能とする収納部間移動モードを実行可能であり、該収納部間移動モードの実行開始に当たって操作手段に入力された移動内容にしたがって移動元の収納部からの現金の取り出しおよび移動先の収納部への現金の収納を可能とするとともに移動元の収納部から移動先の収納部への現金の移動状況を管理することを特徴とする現金管理装置。
【請求項２】
前記収納部間移動モードは、
前記操作手段に前記移動内容の入力を受け付ける入力受付ステップと、
入力された前記移動内容にしたがって移動元の収納部のロックを解除し該移動元の収納部を引き出し可能な状態とする移動元ロック解除ステップと、
入力された前記移動内容にしたがって移動先の収納部のロックを解除し該移動先の収納部を引き出し可能な状態とする移動先ロック解除ステップと、
前記移動元の収納部の現金の取り出し状況を確認する取出確認ステップと、
前記移動先の収納部の現金の収納状況を確認する収納確認ステップと、を有することを特徴とする請求項１記載の現金管理装置。
【請求項３】
前記制御手段は、前記入力受付ステップにおいて、前記操作手段への移動元の収納部の指定入力時には移動元となり得る収納部のみを選択入力可能とすることを特徴とする請求項２記載の現金管理装置。
【請求項４】
前記制御手段は、前記入力受付ステップにおいて、前記操作手段への移動先の収納部の指定入力時には移動先となり得る収納部のみを選択入力可能とすることを特徴とする請求項２または３記載の現金管理装置。
【請求項５】
前記制御手段は、前記入力受付ステップにおいて、移動元の収納部および移動先の収納部の現在の在高を表示手段に表示可能であることを特徴とする請求項２乃至４のいずれか一項記載の現金管理装置。
【請求項６】
前記制御手段は、前記移動元ロック解除ステップの実行後に移動元の収納部が閉状態から開状態となり再び閉状態になると、前記移動先ロック解除ステップを実行することを特徴とする請求項２乃至５のいずれか一項記載の現金管理装置。
【請求項７】
前記制御手段は、前記入力受付ステップにおいて入力された移動元の収納部から取り出されるべき現金の内容と、前記取出確認ステップにおいて確認した当該移動元の収納部から実際に取り出された現金の内容との一致を判定することを特徴とする請求項２乃至６のいずれか一項記載の現金管理装置。
【請求項８】
前記制御手段は、前記入力受付ステップにおいて入力された移動先の収納部へ収納されるべき現金の内容と、前記収納確認ステップにおいて確認した当該移動先の収納部に実際に収納された現金の内容との一致を判定することを特徴とする請求項２乃至７のいずれか一項記載の現金管理装置。
【請求項９】
前記制御手段は、一つの収納部内での現金の移動を可能とする収納部内移動モードを実行可能であることを特徴とする請求項１乃至８のいずれか一項記載の現金管理装置。
【請求項１０】
前記制御手段は、現金の移動内容をログ記憶手段に記憶させることを特徴とする請求項１乃至９のいずれか一項記載の現金管理装置。
【発明の詳細な説明】
【技術分野】
【０００１】
本発明は、補充用の現金の管理に用いられる現金管理装置に関する。
【背景技術】
【０００２】
銀行等の金融機関において、本体から引き出し可能に設けられた複数の収納部に現金を収納し管理する現金管理装置が用いられている。この現金管理装置では、金種データと入出の区別データと数量データとを入力して、対応する収納部に対して現金の入出庫を行うようになっている（例えば特許文献１参照）。銀行等の金融機関の運用形態や、取り扱う小束紙幣あるいは棒金硬貨の金種別の量によっては、一の金種の小束紙幣または棒金硬貨を二段以上の収納部に収納する場合がある。
【先行技術文献】
【特許文献】
【０００３】
【特許文献１】特開２０１２−４８３６３号公報
【発明の概要】
【発明が解決しようとする課題】
【０００４】
ところで、同じ金種の現金について入出庫可能な収納部が複数存在する場合、窓口担当者等の操作者は、基本的に、これらの中から任意の収納部を選択して現金を取り出すことになり、任意の収納部を選択して現金を収納することになる。このため、現金の入出庫を繰り返すと、収納部毎に現金の保管状況にばらつきが出てくる可能性がある。このような状態にあると、入出庫の作業性が低下する可能性があるため、いずれか一方の収納部に現金を纏める場合がある。このような纏め作業等、複数の収納部間で現金を移動させる場合、操作者は、移動元の現金に関する金種データおよび数量データと出庫の区別データとを入力して、移動元の収納部から現金の取り出しを行い、同じ金種データおよび数量データと入庫の区別データとを入力して、移動先の収納部に現金を収納することになる。このように多くの操作が必要となるため、操作が面倒であって操作ミスを生じ易く、また処理に時間がかかるという問題があった。
【０００５】
本発明は、現金の移動処理を容易かつ正確に短時間で行うことが可能となる現金管理装置の提供を目的とする。
【課題を解決するための手段】
【０００６】
上記目的を達成するために、請求項１に係る発明は、現金管理装置本体と、該現金管理装置本体に対してスライド開閉可能に設けられ引き出された開状態で現金が入出庫可能となる複数の収納部と、収納部からの現金の取り出しを可能とする出庫モードおよび収納部への現金の収納を可能とする入庫モードの実行が可能であるとともに収納部の現金の入出庫を管理する制御手段とを有する現金管理装置であって、前記制御手段は、複数の収納部間での現金の移動を可能とする収納部間移動モードを実行可能であり、該収納部間移動モードの実行開始に当たって操作手段に入力された移動内容にしたがって移動元の収納部からの現金の取り出しおよび移動先の収納部への現金の収納を可能とするとともに移動元の収納部から移動先の収納部への現金の移動状況を管理することを特徴とする。
【０００７】
請求項２に係る発明は、請求項１に係る発明において、前記収納部間移動モードは、前記操作手段に前記移動内容の入力を受け付ける入力受付ステップと、入力された前記移動内容にしたがって移動元の収納部のロックを解除し該移動元の収納部を引き出し可能な状態とする移動元ロック解除ステップと、入力された前記移動内容にしたがって移動先の収納部のロックを解除し該移動先の収納部を引き出し可能な状態とする移動先ロック解除ステップと、前記移動元の収納部の現金の取り出し状況を確認する取出確認ステップと、前記移動先の収納部の現金の収納状況を確認する収納確認ステップと、を有することを特徴とする。
【０００８】
請求項３に係る発明は、請求項２に係る発明において、前記制御手段は、前記入力受付ステップにおいて、前記操作手段への移動元の収納部の指定入力時には移動元となり得る収納部のみを選択入力可能とすることを特徴とする。
【０００９】
請求項４に係る発明は、請求項２または３に係る発明において、前記制御手段は、前記入力受付ステップにおいて、前記操作手段への移動先の収納部の指定入力時には移動先となり得る収納部のみを選択入力可能とすることを特徴とする。
【００１０】
請求項５に係る発明は、請求項２乃至４のいずれか一項に係る発明において、前記制御手段は、前記入力受付ステップにおいて、移動元の収納部および移動先の収納部の現在の在高を表示手段に表示可能であることを特徴とする。
【００１１】
請求項６に係る発明は、請求項２乃至５のいずれか一項に係る発明において、前記制御手段は、前記移動元ロック解除ステップの実行後に移動元の収納部が閉状態から開状態となり再び閉状態になると、前記移動先ロック解除ステップを実行することを特徴とする。
【００１２】
請求項７に係る発明は、請求項２乃至６のいずれか一項に係る発明において、前記制御手段は、前記入力受付ステップにおいて入力された移動元の収納部から取り出されるべき現金の内容と、前記取出確認ステップにおいて確認した当該移動元の収納部から実際に取り出された現金の内容との一致を判定することを特徴とする。
【００１３】
請求項８に係る発明は、請求項２乃至７のいずれか一項に係る発明において、前記制御手段は、前記入力受付ステップにおいて入力された移動先の収納部へ収納されるべき現金の内容と、前記収納確認ステップにおいて確認した当該移動先の収納部に実際に収納された現金の内容との一致を判定することを特徴とする。
【００１４】
請求項９に係る発明は、請求項１乃至８のいずれか一項に係る発明において、前記制御手段は、一つの収納部内での現金の移動を可能とする収納部内移動モードを実行可能であることを特徴とする。
【００１５】
請求項１０に係る発明は、請求項１乃至９のいずれか一項に係る発明において、前記制御手段は、現金の移動内容をログ記憶手段に記憶させることを特徴とする。
【発明の効果】
【００１６】
請求項１に係る発明によれば、制御手段が、複数の収納部間での現金の移動を可能とする収納部間移動モードを実行可能であり、この収納部間移動モードの実行開始に当たって操作手段に入力された移動内容にしたがって移動元の収納部からの現金の取り出しおよび移動先の収納部への現金の収納を可能とするとともに移動元の収納部から移動先の収納部への現金の移動状況を管理するため、操作数を減らすことが可能となる。したがって、現金の移動処理を容易かつ正確に短時間で行うことが可能となる。
【００１７】
請求項２に係る発明によれば、入力受付ステップでは操作手段に移動内容の入力を受け付けることになり、移動元ロック解除ステップでは、入力された移動内容にしたがって移動元の収納部のロックを解除しこの収納部を引き出し可能な状態とすることになる。これにより操作者が移動元の収納部を引き出して現金を取り出すことになる。また、移動先ロック解除ステップでは、入力された移動内容にしたがって移動先の収納部のロックを解除しこの収納部を引き出し可能な状態とすることになる。これにより操作者が移動先の収納部を引き出して、上記のように移動元の収納部から取り出した現金を収納することになる。また、取出確認ステップでは、移動元の収納部の現金の取り出し状況を確認することになり、収納確認ステップでは、移動先の収納部の現金の収納状況を確認することになる。よって、操作数を確実に減らすことができる。したがって、現金の移動処理を容易かつ正確に短時間で行うことが確実にできる。
【００１８】
請求項３に係る発明によれば、制御手段が、入力受付ステップにおいて、操作手段への移動元の収納部の指定入力時には移動元となり得る収納部のみを選択入力可能とするため、移動元の選択ミスを減らすことができる。したがって、現金の移動処理を容易かつ正確に短時間で行うことが一層確実にできる。
【００１９】
請求項４に係る発明によれば、制御手段が、入力受付ステップにおいて、操作手段への移動先の収納部の指定入力時には移動先となり得る収納部のみを選択入力可能とするため、移動先の選択ミスを減らすことができる。したがって、現金の移動処理を容易かつ正確に短時間で行うことが一層確実にできる。
【００２０】
請求項５に係る発明によれば、制御手段が、入力受付ステップにおいて、移動元の収納部および移動先の収納部の現在の在高を表示手段に表示可能であるため、これらを表示させることで、移動元および移動先の選択ミスをさらに減らすことができる。したがって、現金の移動処理を容易かつ正確に短時間で行うことが一層確実にできる。
【００２１】
請求項６に係る発明によれば、移動元ロック解除ステップの実行後に移動元の収納部が閉状態から開状態となり再び閉状態になると、制御手段が、移動先ロック解除ステップを自動的に実行することになるため、さらに操作数を減らすことができる。したがって、現金の移動処理を容易かつ正確に短時間で行うことが一層確実にできる。
【００２２】
請求項７に係る発明によれば、制御手段が、入力受付ステップにおいて入力された移動元の収納部から取り出されるべき現金の内容と、取出確認ステップにおいて確認した当該移動元の収納部から実際に取り出された現金の内容との一致を判定するため、例えば不一致の場合にアラームを発生させることにより、移動元の収納部からの取り出しミスや不正行為を防止することができる。
【００２３】
請求項８に係る発明によれば、制御手段が、入力受付ステップにおいて入力された移動先の収納部へ収納されるべき現金の内容と、収納確認ステップにおいて確認した当該移動先の収納部に実際に収納された現金の内容との一致を判定するため、例えば不一致の場合にアラームを発生させることにより、移動先の収納部への収納ミスや不正行為を防止することができる。
【００２４】
請求項９に係る発明によれば、制御手段が、収納部内移動モードを実行することで、一つの収納部内での現金の移動が可能となり、一つの収納部内での現金の整理を行うことができる。
【００２５】
請求項１０に係る発明によれば、現金の移動内容をログ記憶手段に記憶させるため、現金の移動内容を後で確認することができる。したがって、移動のミスや不正行為を防止することができる。
【図面の簡単な説明】
【００２６】
【図１】本発明の一実施形態に係る現金管理装置を示す斜視図である。
【図２】本発明の一実施形態に係る現金管理装置を示す制御系のブロック図である。
【図３】本発明の一実施形態に係る現金管理装置の小束収納部を示す斜視図である。
【図４】本発明の一実施形態に係る現金管理装置の棒金収納部を示す斜視図である。
【図５】本発明の一実施形態に係る現金管理装置の棒金トレイを示す斜視図である。
【図６】本発明の一実施形態に係る現金管理装置の小束収納部近傍を示す部分斜視図である。
【図７】本発明の一実施形態に係る現金管理装置の小束収納部を示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図８】本発明の一実施形態に係る現金管理装置の棒金収納部近傍を示す部分斜視図である。
【図９】本発明の一実施形態に係る現金管理装置の棒金収納部を示す平面図であって、（Ａ）は現金管理装置本体に配置される棒金セット検知センサとの対応関係を示すもの、（Ｂ）は現金管理装置本体に配置される棒金検出ラインセンサとの対応関係を示すものである。
【図１０】本発明の一実施形態に係る現金管理装置の収納部近傍を示す側面図である。
【図１１】本発明の一実施形態に係る現金管理装置の収納部の前部近傍を示す部分斜視図である。
【図１２】本発明の一実施形態に係る現金管理装置の収納部の後部近傍を示す側面図である。
【図１３】本発明の一実施形態に係る現金管理装置の入力受付ステップでの表示部の初期の表示内容を示す正面図である。
【図１４】本発明の一実施形態に係る現金管理装置の入力受付ステップでの表示部の初期の表示内容の変形例を示す正面図である。
【図１５】本発明の一実施形態に係る現金管理装置の入力受付ステップでの表示部の数量入力画面の表示内容を示す正面図である。
【図１６】本発明の一実施形態に係る現金管理装置の入力受付ステップでの表示部の在高表示画面の表示内容を示す正面図である。
【図１７】本発明の一実施形態に係る現金管理装置の移動元ロック解除ステップでの表示部の表示内容を示す正面図である。
【図１８】本発明の一実施形態に係る現金管理装置の移動先ロック解除ステップでの表示部の表示内容を示す正面図である。
【図１９】本発明の一実施形態に係る現金管理装置の収納部間移動処理後の印字内容の一例を示す正面図である。
【図２０】本発明の一実施形態に係る現金管理装置の収納部間移動処理後の印字内容の別の例を示す正面図である。
【発明を実施するための形態】
【００２７】
本発明の一実施形態に係る現金管理装置を図面を参照して以下に説明する。
【００２８】
本実施形態に係る現金管理装置１０は、店舗の係員側スペースに設置されて係員により取り扱われるものであり、より窓口カウンタに近い位置で用いられる。現金管理装置１０は、現金として主に小束紙幣および棒金を入出庫可能に収納する収納庫型の装置である。
【００２９】
現金管理装置１０は、箱型の現金管理装置本体１１と、この現金管理装置本体１１に上下方向に複数段具体的には８段設けられた収納部１２とを有している。これら収納部１２は、それぞれが、左右側壁に設けられたスライドレール１３を介して現金管理装置本体１１に対して水平方向に沿ってスライド開閉可能となっている。これら収納部１２は、前方に引き出され、後方に押し込まれることになり、このように前後方向にのみ所定範囲で移動可能となるように現金管理装置本体１１に連結されている。すべての収納部１２は、いずれも現金管理装置本体１１から引き出された開状態で現金が入出庫可能、つまり係員による現金の装置内への収納（入庫）および装置外への取り出し（出庫）が可能となる。言い換えれば、すべての収納部１２は、現金管理装置本体１１に押し込まれた閉状態では現金の入出庫が不可となっている。
【００３０】
収納部１２のうち、最上段のものは、予備収納部１２（ａ）となっており、結束されていないバラ紙幣、包装されていないバラ硬貨および汚損紙幣や汚損硬貨等の現金と、金券等を収納する。また、上から２〜５段の４つは、小束紙幣を収納する小束収納部１２（ｂ）となっており、上から６〜８段の３つは、棒金を収納する棒金収納部１２（ｃ）となっている。小束紙幣は、一束が所定枚数（１００枚）の単一金種の紙幣からなっており、棒金は、一本が所定枚数（１００枚または５０枚）の単一金種の硬貨からなっている。
【００３１】
具体的に、収納部１２のうち、上から２段目の小束収納部１２（ｂ）は単一の束金種である万円券の小束紙幣のみを、上から３段目の小束収納部１２（ｂ）は単一の束金種である万円券の小束紙幣のみを、上から４段目の小束収納部１２（ｂ）は単一の束金種である千円券の小束紙幣のみを、それぞれ収納するようになっている。また、収納部１２のうち、上から５段目の小束収納部１２（ｂ）は、五千円券の小束紙幣と二千円券の小束紙幣と千円券の小束紙幣とのみを収納するようになっている。
【００３２】
また、具体的に、収納部１２のうち、上から６段目の棒金収納部１２（ｃ）は、１００円棒金と１０円棒金とのみを、上から７段目の棒金収納部１２（ｃ）は、５００円棒金と１円棒金とのみを、上から８段目つまり最下段の棒金収納部１２（ｃ）は、５０円棒金と５円棒金とのみを、それぞれ収納するようになっている。
【００３３】
勿論、収納部１２の全体の数や、そのうちの小束収納部１２（ｂ）および棒金収納部１２（ｃ）の個々の数等は任意に設定可能であり、例えば、予備収納部１２（ａ）以外のすべてを、小束収納部１２（ｂ）としたり、棒金収納部１２（ｃ）としたりすることも勿論可能である。
【００３４】
現金管理装置本体１１の上部には、窓口担当者等の操作者によって操作入力がなされるとともに操作者に対して表示を行う操作表示部１５と、データを紙面への印字により出力するプリンタ１６とが設けられている。操作表示部１５は、操作者に対して操作ガイダンスや管理データ等の情報を表示する表示部（表示手段）１７と、操作者のＩＤカードを走査するカードリーダ１８と、操作者により操作されるキーボード等の操作部（操作手段）１９と、操作者に対して音声を出力する音声発生部２０とを有している。
【００３５】
現金管理装置本体１１には、複数の収納部１２のそれぞれに対して、収納部１２を閉状態で個別にロックする図２に示すロック機構２２が一対一で対応するように設けられており、図１に示す複数の収納部１２のそれぞれの高さ位置が合う側方に、ロック機構２２のロック解除時のみ点滅する表示灯２３が一対一で対応するように設けられている。さらに、現金管理装置本体１１には、図２に示すように、操作表示部１５、プリンタ１６、ロック機構２２および表示灯２３に接続されてこれらを制御するとともに複数の収納部１２のそれぞれの現金の入出庫を管理する制御部（制御手段）２５と、複数の収納部１２のそれぞれに収納している棒金および小束紙幣の数量情報および金種情報や処理関連のデータ等を記憶する記憶部（ログ記憶手段）２６とが設けられている。
【００３６】
収納部１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図３に示す小束収納部１２（ｂ）と図４に示す棒金収納部１２（ｃ）とで共通となっている。
【００３７】
図３に示すように、小束収納部１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣を所定枚数（１００枚）集積し、規定位置に結束テープｔを巻回して、この結束テープｔを接着することで形成されている。
【００３８】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６と、札押さえ板４６を後壁部４２に向けて付勢する図示略の付勢部材とを有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００３９】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになり、小束紙幣Ｔは、束収納凹部４９にその上部開口を介して上方から挿入されて収納される。一つの小束トレイ４０には束収納凹部４９が一カ所のみ形成されている。
【００４０】
なお、各小束トレイ４０は、それぞれ予め設定された単一金種の小束紙幣Ｔのみが束収納凹部４９に収納されるように決められており、よって、小束収納部１２（ｂ）には、小束紙幣Ｔの収納位置である束収納凹部４９が金種毎に規定されている。具体的には、上述したように、複数の収納部１２のうち、上から２段目の小束収納部１２（ｂ）および上から３段目の小束収納部１２（ｂ）は、すべての小束トレイ４０の束収納凹部４９が万円券の小束紙幣のみを収納することになり、上から４段目の小束収納部１２（ｂ）は、すべての小束トレイ４０の束収納凹部４９が千円券の小束紙幣のみを収納するようになっている。つまり、複数の収納部１２のうち、上から２〜４段目の複数の収納部１２は、それぞれ単一金種の現金のみを収納する。また、複数の収納部１２のうち、上から５段目の小束収納部１２（ｂ）は、五千円券の小束紙幣と二千円券の小束紙幣と千円券の小束紙幣とのみを収納するようになっている。
【００４１】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納部１２（ｂ）での上端部の高さ位置が一定するように設定されている。つまり、高さ（短辺方向長さ）が低い小束紙幣Ｔを収納する小束トレイ４０は、これが配置された小束収納部１２（ｂ）での底部４４の高さ位置が高くなっており、高さが高い小束紙幣Ｔを収納する小束トレイ４０は、これが配置された小束収納部１２（ｂ）での底部４４の高さ位置が低くなっている。ただし、各束収納凹部４９の底部４４までの深さは、収納した小束紙幣Ｔを取り出し容易とすべく上方に突出させるように設定されている。
【００４２】
小束トレイ４０の束収納凹部４９には、設定金種以外の長さの長い金種の小束紙幣Ｔと、設定金種以外の高さの高い金種の小束紙幣Ｔとは、適正な収納が困難となり、これにより、一部の誤収納を簡易的に規制するようになっている。つまり、設定金種の小束紙幣Ｔよりも長さの長い小束紙幣Ｔは、一対の側壁部４３間で折れ曲がって収納が困難となり、設定金種の小束紙幣Ｔよりも高さの高い小束紙幣Ｔは、直ぐ上にある収納部１２の前板部３１に干渉して、この小束紙幣Ｔが収納された小束収納部１２（ｂ）の現金管理装置本体１１への押し込みを阻害する。各束収納凹部４９には、それぞれの側壁部４３の上面に、収納対象の金種を目視可能に明示する金種明示部５０が設けられている。なお、日本国内で流通する紙幣の場合は、全種類、高さが一定であることから、すべての小束トレイ４０の小束収納部１２（ｂ）における底部４４の高さ位置も一定となる。各小束トレイ４０に収納すべき設定金種を示す収納金種データは、予め設定されて記憶部２６に記憶されることになる。
【００４３】
図４に示すように、棒金収納部１２（ｃ）は、単一金種の硬貨が所定枚数集積されて包装紙で包装されてなる棒金Ｂを入出庫可能に収納するもので、上記した枠体３４内に固定される複数、具体的には、前後に金種径に応じて６つまたは５つ、左右に４列の合成樹脂製の棒金トレイ５５を有している。
【００４４】
棒金トレイ５５は、棒金Ｂが中心軸線を上下にした立位状態で収納されるものである。棒金トレイ５５は、円筒を一部切り取った形状の湾曲面５６を、複数具体的には左側の３カ所と右側の３カ所と前端１カ所と後端１カ所の８カ所に有する鉛直方向に沿う壁部５７と、壁部５７の下部を閉塞する水平方向に沿う底部５８とを有している。壁部５７および底部５８は、下方に凹む上方開口形状の棒金収納凹部５９を構成している。湾曲面５６は左側の３カ所が左右方向の位置を合わせており、右側の３カ所も左右方向の位置を合わせている。左右前端の湾曲面５６は前後方向の位置を合わせており、中央前端の湾曲面５６はこれらよりも前側に配置されている。左右後端の湾曲面５６は前後方向の位置を合わせており、中央後端の湾曲面５６はこれらよりも後側に配置されている。
【００４５】
これにより、棒金トレイ５５の棒金収納凹部５９には、左側に３本の棒金Ｂが左右方向の位置を合わせて前後１列に並べられ、右側に３本の棒金Ｂが左右方向の位置を合わせて前後１列に並べられ、左右方向の中央に４本の棒金Ｂが左右方向の位置を合わせて前後１列に並べられ、合計１０本の棒金Ｂが収納されるようになっている。左右の棒金Ｂは前後方向の位置を互いに合わせており、中央の棒金Ｂは、これらに対して前後方向の位置をずらしている。棒金Ｂは、棒金収納凹部５９に、その上部開口を介して上方から挿入されることになり、棒金収納凹部５９の壁部５７および他の棒金Ｂで支持されて中心軸線を鉛直配置した立位状態に維持される。
【００４６】
底部５８には、各湾曲面５６と同心をなす８カ所と、これらの内側の前後２カ所とに、各棒金Ｂを載置させる円筒状の載置台部６０が上方に突出するように形成されている。載置台部６０の外径は、棒金Ｂの包装紙の加締部の内径よりも小さくされており、載置台部６０の突出高さは加締部の硬貨からの突出高さよりも高くなっている。これにより、載置台部６０は、棒金Ｂの加締部を逃げて硬貨部分を直接支持するようになっている。載置台部６０の内側は、棒金Ｂのセット検知用の、上下に貫通する貫通孔６１となっている。載置台部６０およびその内側の貫通孔６１も、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００４７】
なお、各棒金トレイ５５の棒金収納凹部５９は、それぞれ予め設定された単一金種の棒金Ｂのみが収納されるように決められている。言い換えれば、棒金収納部１２（ｃ）には、金種毎に棒金Ｂの収納位置である棒金収納凹部５９が規定されている。各棒金トレイ５５の棒金収納凹部５９の湾曲面５６の径は、収納対象金種の棒金Ｂの外径よりも若干大径となっている。また、載置台部６０の外径は、収納対象金種の棒金Ｂの加締部の内径よりも若干小さくされており、載置台部６０の突出高さは収納対象金種の棒金Ｂの加締部の硬貨からの突出高さよりも若干高くなっている。加えて、載置台部６０の高さ位置は、いずれの棒金トレイ５５においても収納対象金種の棒金Ｂを載置した場合にその上端部の棒金収納部１２（ｃ）での高さ位置が一定するように設定されている。つまり、長さが短い棒金Ｂを収納する棒金トレイ５５は、これが配置された棒金収納部１２（ｃ）での載置台部６０の高さ位置が高く、長さが長い棒金Ｂを収納する棒金トレイ５５は、これが配置された棒金収納部１２（ｃ）での載置台部６０の高さ位置が低くなっている。ただし、各棒金収納凹部５９の載置台部６０までの深さは、収納した棒金Ｂを取り出し容易とすべく上方に突出させるように設定されている。
【００４８】
これにより、棒金トレイ５５の棒金収納凹部５９には、設定金種以外の径の大きい金種の棒金Ｂと、設定金種以外の高さの高い金種の棒金Ｂとは、適正な収納が困難となり、これにより、一部の誤収納を簡易的に規制するようになっている。つまり、設定金種の棒金Ｂよりも径の大きい棒金Ｂは壁部５７あるいは他の棒金Ｂに干渉して収納が困難となり、設定金種の棒金Ｂよりも高さの高い棒金Ｂは、直ぐ上にある収納部１２の前板部３１に干渉して、この棒金Ｂが収納された棒金収納部１２（ｃ）の現金管理装置本体１１への押し込みを阻害する。各棒金トレイ５５には、それぞれの棒金収納凹部５９より外側の上面に、収納対象の金種を目視可能に明示する金種明示部６２が設けられている。各棒金トレイ５５に収納すべき設定金種を示す収納金種データは、予め設定されて記憶部２６に記憶されることになる。
【００４９】
ここで、左右方向における同列に配置されて前後に並ぶ棒金トレイ５５は、すべて収納対象金種が同一金種となっており、各列の最も前側の棒金トレイ５５は、収納本数が不足した状態でも棒金Ｂを倒さずに収納可能な端数用となっている。具体的に、複数の収納部１２のうち、上から６段目の棒金収納部１２（ｃ）は、最も右側の列と右から２番目の列とに配置されたすべての棒金トレイ５５が１００円棒金のみを収納することになり、最も左側の列と左から２番目の列とに配置されたすべての棒金トレイ５５が１０円棒金のみを収納することになる。また、上から７段目の棒金収納部１２（ｃ）は、最も右側の列と右から２番目の列とに配置されたすべての棒金トレイ５５が５００円棒金のみを収納することになり、最も左側の列と左から２番目の列とに配置されたすべての棒金トレイ５５が１円棒金のみを収納することになる。また、上から８段目つまり最下段の棒金収納部１２（ｃ）では、最も右側の列と右から２番目の列とに配置されたすべての棒金トレイ５５が５０円棒金のみを収納することになり、最も左側の列と左から２番目の列とに配置されたすべての棒金トレイ５５が５円棒金のみを収納することになる。
【００５０】
端数用の棒金トレイ５５には、図５に示すように、棒金Ｂの転倒防止用の複数具体的には１０本の補助棒６３が隣り合う載置台部６０の間位置に立設されており、端数用であることを明示する端数明示部６４が棒金収納凹部５９より外側に形成されている。１０本の補助棒６３は、棒金収納凹部５９の中央の前後の載置台部６０を、２本共通でそれぞれを６本が囲むように配置されている。これにより、各湾曲面５６の内側に同軸に配置される棒金Ｂは、湾曲面５６とこれに対向する２本あるいは３本の補助棒６３とで単独でも立位状態に維持されることになり、棒金収納凹部５９の中央位置に配置される棒金Ｂは、それぞれ６本の補助棒６３で単独でも立位状態に維持されることになる。その結果、最も前側の棒金トレイ５５の棒金Ｂは、他の棒金Ｂがなくても転倒が防止され立位状態に維持されるようになっている。
【００５１】
ここで、最も前側を除く棒金トレイ５５には必ず棒金Ｂを満杯状態つまり１０本収納し、棒金Ｂを満杯状態以外で収納する場合には、最も前側の棒金トレイ５５に収納することがルール化されており、係員は、最も前側の棒金トレイ５５から棒金Ｂを必要数だけ取り出し、最も前側の棒金トレイ５５が空になり、その後側の棒金トレイ５５から棒金Ｂを取り出す場合には、この後側の棒金トレイ５５の残りの端数の棒金Ｂを、最も前側の棒金トレイ５５に移載するようになっている。
【００５２】
図６に示すように、現金管理装置本体１１の各小束収納部１２（ｂ）が挿入される小束紙幣収納部挿入空間形成部６５の下部の前端部には、図３に示す小束収納部１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６が位置固定で設けられている。なお、各センサ溝４８は、束収納凹部４９における小束紙幣Ｔの結束テープｔが所定の一側（左側）にあるときの、結束テープｔの位置に合わせて形成されており、よって、各小束セット検知センサ６６も、図７（Ａ）に示すように、束収納凹部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００５３】
また、図６に示すように、現金管理装置本体１１の各小束収納部１２（ｂ）が挿入される小束紙幣収納部挿入空間形成部６５の上部の前端部には、小束収納部１２（ｂ）の左右２列の小束トレイ４０のそれぞれの上方近接位置に、図７（Ｂ）にも示すように、小束紙幣Ｔの左端位置を検出する左端検出ラインセンサ６７、小束紙幣Ｔの左側に結束テープｔつまり帯がある場合にこれを検出する左側帯検出ラインセンサ６８、小束紙幣Ｔの右側に結束テープｔがある場合にこれを検出する右側帯検出ラインセンサ６９および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００５４】
小束セット検知センサ６６は、１つの小束収納部１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納部１２（ｂ）に対し左右方向に並べられて２組設けられている。
【００５５】
小束セット検知センサ６６は、発光素子が検出方向を上方に向けており、上方に発光した光の上方からの反射光を対応する受光素子で受光するようになっている。その結果、各小束収納部１２（ｂ）のそれぞれの直ぐ下に設けられた小束セット検知センサ６６が、これらの直ぐ上で前後にスライドする小束収納部１２（ｂ）の各束収納凹部４９に収納された小束紙幣Ｔの下端部の反射光データである貨幣検出反射データをセンサ溝４８を介して取得することになる。
【００５６】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納部１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納部１２（ｂ）の各束収納凹部４９に収納された小束紙幣Ｔの上端部の反射光データである貨幣検出反射データを取得することになる。
【００５７】
なお、検出対象となる小束収納部１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納部１２（ｂ）の各束収納凹部４９の前後方向の全範囲を検出できるようになっている。小束セット検知センサ６６は、小束収納部１２（ｂ）の開閉に伴って通過する、この小束収納部１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納部１２（ｂ）の開閉に伴って通過する、この小束収納部１２（ｂ）内の小束紙幣Ｔの上端部から貨幣検出反射データを取得することになる。
【００５８】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００５９】
また、小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納凹部４９内外の空間）とを区別することになる。
【００６０】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００６１】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００６２】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００６３】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータとを照合することで、小束収納部１２（ｂ）内の小束紙幣Ｔの数量である数量検出データを取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００６４】
また、制御部２５は、上記検出範囲における、左端検出ラインセンサ６７および右端検出ラインセンサ７０の補正後の貨幣検出反射データと、記憶部２６に記憶された金種マスタデータとを照合することで、小束収納部１２（ｂ）内の小束紙幣Ｔの金種である金種検出データを取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの金種検出データを取得する。
【００６５】
なお、制御部２５は、小束収納部１２（ｂ）内のすべての束収納凹部４９について、左端検出ラインセンサ６７および右端検出ラインセンサ７０で検出される規定の金種以外の金種の小束紙幣Ｔが収納されていること、つまり対応金種の収納位置に収納されていない異金種小束紙幣Ｔを検出すると、表示部１７に警告表示を行わせ、音声発生部２０で警告音を発生させる。
【００６６】
図８に示すように、現金管理装置本体１１の各棒金収納部１２（ｃ）が挿入される棒金収納部挿入空間形成部７５の下部の前端部には、棒金収納部１２（ｃ）の左右４列の棒金トレイ５５のそれぞれの３列の貫通孔６１の直ぐ下側となる位置に、左右方向に同列で前後方向に並ぶ貫通孔６１を介して棒金Ｂのセット検知を行う光学反射型の棒金セット検知センサ７６が位置固定で設けられている。
【００６７】
また、現金管理装置本体１１の各棒金収納部１２（ｃ）が挿入される棒金収納部挿入空間形成部７５の上部の前端部には、棒金収納部１２（ｃ）の左右４列の棒金トレイ５５のそれぞれの３列の載置台部６０の上方近接位置に、左右方向に同列で前後方向に並ぶ棒金Ｂの上端部を検出する、検出素子を左右方向に並べた光学反射型の棒金検出ラインセンサ７７が、それぞれ位置固定で設けられている。
【００６８】
つまり、棒金セット検知センサ７６は、図９（Ａ）にも示すように、１つの棒金収納部１２（ｃ）に対し左右方向に並べられて１２カ所設けられ、棒金検出ラインセンサ７７は、図９（Ｂ）にも示すように、１つの棒金収納部１２（ｃ）に対し左右方向に並べられて１２カ所設けられている。
【００６９】
棒金セット検知センサ７６は、発光素子が検出方向を上方に向けており、上方に発光した光の上方からの反射光を対応する受光素子で受光するようになっている。その結果、各棒金収納部１２（ｃ）のそれぞれの直ぐ下に設けられた棒金セット検知センサ７６が、これらの直ぐ上で前後にスライドする棒金収納部１２（ｃ）の各棒金収納凹部５９に収納された棒金Ｂの下端部の反射光データである貨幣検出反射データを貫通孔６１を介して取得することになる。
【００７０】
棒金検出ラインセンサ７７は、各発光素子が検出方向を下方に向けており、下方に発光した光の下方からの反射光を対応する受光素子で受光するようになっている。その結果、各棒金収納部１２（ｃ）のそれぞれの直ぐ上に設けられた棒金検出ラインセンサ７７が、これらの直ぐ下で前後にスライドする棒金収納部１２（ｃ）の各棒金収納凹部５９に収納された棒金Ｂの上端部の反射光データである貨幣検出反射データを取得することになる。
【００７１】
なお、検出対象となる棒金収納部１２（ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金セット検知センサ７６および棒金検出ラインセンサ７７は、検出対象となる棒金収納部１２（ｃ）の各棒金収納凹部５９の前後方向の全範囲を検出できるようになっている。棒金セット検知センサ７６は、棒金収納部１２（ｃ）の開閉に伴って通過する、この棒金収納部１２（ｃ）内の棒金Ｂの下端部から貨幣検出反射データを取得することになり、棒金検出ラインセンサ７７は、棒金収納部１２（ｃ）の開閉に伴って通過する、この棒金収納部１２（ｃ）内の棒金Ｂの上端部から貨幣検出反射データを取得することになる。
【００７２】
ここで、制御部２５は、棒金セット検知センサ７６の貨幣検出反射データから、反射光量が多い貫通孔６１上の棒金Ｂと、棒金Ｂがなく反射光量が少なくなる他の部分（貫通孔６１上の空間、貫通孔６１以外の部分）とを区別することで、棒金Ｂが収納されている範囲を検出する。
【００７３】
また、制御部２５は、棒金検出ラインセンサ７７の貨幣検出反射データから、反射光量が多い棒金Ｂと、反射光量が少なくなる他の部分（棒金収納凹部５９内外の空間）とを区別することになり、棒金Ｂの他の部分との境界位置である外周部を検出した各受光素子の位置から棒金Ｂの外周部の位置を検出する。また、棒金Ｂの反射光量から金種を識別することになり、反射光量が少なくなる他の部分のうち、形状、大きさおよび外周部に対する位置から棒金Ｂ内の孔であるか否かを識別することになる。
【００７４】
制御部２５は、後述するロータリエンコーダ８８で検知ディスク８７のスリットを検知する毎に棒金セット検知センサ７６および棒金検出ラインセンサ７７のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００７５】
そして、制御部２５は、棒金セット検知センサ７６で棒金Ｂが検出されている範囲を基準として検出範囲を設定し、この検出範囲における、棒金検出ラインセンサ７７の補正後の貨幣検出反射データと、記憶部２６に記憶された棒金Ｂ用の数量マスタデータとを照合することで、棒金収納部１２（ｃ）内の棒金Ｂの数量である数量検出データを取得する。例えば、棒金検出ラインセンサ７７の補正後の貨幣検出反射データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。勿論、制御部２５は、棒金セット検知センサ７６および棒金検出ラインセンサ７７の各組それぞれについて、別々に、棒金Ｂの数量検出データを取得する。
【００７６】
また、制御部２５は、上記検出範囲における、棒金検出ラインセンサ７７の補正後の貨幣検出反射データと、記憶部２６に記憶された金種マスタデータとを照合することで、棒金収納部１２（ｃ）内の棒金Ｂの金種である金種検出データを取得する。例えば、棒金検出ラインセンサ７７の補正後の貨幣検出反射データの中で、上記のように検出し棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出反射データの反射光量とを金種マスタデータの金種基準データと比較して、許容範囲内で一致する金種基準データに対応する金種を、この棒金部分に対応する棒金Ｂの金種とする金種検出データを取得する金種判断を行う。勿論、制御部２５は、左右方向の位置が合う棒金セット検知センサ７６および棒金検出ラインセンサ７７の各組それぞれについて、別々に、棒金Ｂの金種検出データを取得する。
【００７７】
なお、制御部２５は、小束収納部１２（ｂ）内のすべての棒金収納凹部５９について、棒金検出ラインセンサ７７で検出される規定の金種以外の金種の棒金Ｂが収納されていること、つまり対応金種の収納位置に収納されていない異金種棒金Ｂを検出すると、表示部１７に警告表示を行わせ、音声発生部２０で警告音を発生させる。
【００７８】
現金管理装置本体１１には、すべての小束紙幣収納部挿入空間形成部６５およびすべての棒金収納部挿入空間形成部７５のそれぞれの前端位置と後端位置とに、図１０に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００７９】
そして、三つの歯付プーリ８３，８４，８６にはタイミングベルト９１が巻回されており、このタイミングベルト９１には、収納部１２のうちの挿入されたものの後端部が固定されている。これにより、収納部１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納部１２の開閉位相データを取得することになる。制御部２５は、この開閉位相データから収納部１２の開閉方向およびその位置を割り出すことになり、移動量を時間で除算することで収納部１２の開閉速度を割り出すことになる。なお、検知ディスク８７と一体回転する歯付プーリ８６の前方にはタイミングベルト９１の弛みをとるテンションプーリ９２が設けられている。
【００８０】
また、現金管理装置本体１１には、すべての小束紙幣収納部挿入空間形成部６５およびすべての棒金収納部挿入空間形成部７５のそれぞれの後端位置に、収納部１２のうちの挿入されたものの後端部の検知片９５を検知することで、この収納部１２が現金管理装置本体１１に最も押し込まれた後端位置である全閉位置にあることを示す開閉位相データを取得する全閉検知センサ９６が位置固定で設けられている。現金管理装置本体１１には、小束紙幣収納部挿入空間形成部６５および棒金収納部挿入空間形成部７５のそれぞれの前端位置に、収納部１２のうちの挿入されたものの後端部の検知片９５を検知することで、この収納部１２が現金管理装置本体１１から最も引き出された前端位置である全開位置にあることを示す開閉位相データを取得する全開検知センサ９７が位置固定で設けられている。つまり、全閉検知センサ９６および全開検知センサ９７は、収納部１２の開閉位相情報を取得する。
【００８１】
加えて、現金管理装置本体１１には、すべての小束紙幣収納部挿入空間形成部６５およびすべての棒金収納部挿入空間形成部７５のそれぞれの前部位置に、図１１に示すように、収納部１２のうちの挿入されたものの側板部３２から突出する係合ピン１０１に係合することでこの収納部１２を全閉位置でロックするロック機構２２が設けられている。つまり、収納部１２のそれぞれに対して、収納部１２を閉状態で個別にロックするロック機構２２が設けられている。
【００８２】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して収納部１２を引き出し不可にロックする一方、ソレノイド１０２が電気的に駆動され、爪部１０５が上昇状態となると係合ピン１０１への係合を解除して収納部１２を引き出し可能とし開作動を許容する状態となる。また、収納部１２の引き出し後にソレノイド１０２の駆動が解除されると、ロック部材１０４は、爪部１０５が下降状態となり、この状態で、収納部１２が全閉位置の戻されると、係合ピン１０１が爪部１０５を押し上げた後に下降させることになり、爪部１０５が係合ピン１０１に係合して収納部１２を引き出し不可に自動的かつ機械的にロックする。
【００８３】
加えて、現金管理装置本体１１には、すべての小束紙幣収納部挿入空間形成部６５およびすべての棒金収納部挿入空間形成部７５のそれぞれの後端位置に、一つの収納部１２が引き出された状態では他のすべての収納部１２の引き出しを規制することで現金管理装置１０の転倒を防止する図１２に示す転倒防止機構１１０が設けられている。この転倒防止機構１１０は、現金管理装置本体１１に上下に移動可能に支持された昇降体１１１と、収納部１２のそれぞれの後端部に設けられた作動ピン１１２とを有している。昇降体１１１は、各収納部１２の位置に、前下がりで傾斜する溝部１１３が形成された規制部材１１４を有している。
【００８４】
転倒防止機構１１０は、一つの収納部１２が引き出されると、その作動ピン１１２が、図１２（Ａ）から図１２（Ｂ）に示すように、溝部１１３を移動することで溝部１１３の傾斜により昇降体１１１を上昇させる。この状態では、図１２（Ｂ）に示すように、他の収納部１２の作動ピン１１２の前方に、規制部材１１４が溝部１１３の後端を作動ピン１１２よりも上昇させた状態で配置されることになり、これにより、規制部材１１４が作動ピン１１２に当接して収納部１２の引き出しを規制する。
【００８５】
昇降体１１１は摩擦により下降が規制されるようになっており、図１２（Ｂ）から図１２（Ａ）に示すように、引き出されていた収納部１２が戻されると、その作動ピン１１２が溝部１１３を移動することで溝部１１３の傾斜により昇降体１１１を下降させる。この状態では、図１２（Ａ）に示すように、すべて収納部１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべての収納部１２について択一的な引き出しを許容する状態となる。
【００８６】
そして、本実施形態において、制御部２５は、すべての小束収納部１２（ｂ）のそれぞれについて、一の小束収納部１２（ｂ）に対して設けられた全閉検知センサ９６および全開検知センサ９７の検知結果である開閉位相データからこの一の小束収納部１２（ｂ）が開閉両端位置以外にあり、かつ、この一の小束収納部１２（ｂ）に対して設けられたロータリエンコーダ８８の開閉位相データからこの一の小束収納部１２（ｂ）が停止していると判定した状態にあるとき、この一の小束収納部１２（ｂ）に対して設けられた小束セット検知センサ６６、左端検出ラインセンサ６７、左側帯検出ラインセンサ６８、右側帯検出ラインセンサ６９および右端検出ラインセンサ７０のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００８７】
小束セット検知センサ６６、左端検出ラインセンサ６７、左側帯検出ラインセンサ６８、右側帯検出ラインセンサ６９および右端検出ラインセンサ７０における貨幣検出反射データのこの所定の変化は、数量マスタデータに基づいて変化の有無が判定されるものであり、具体的には、貨幣検出反射データが、数量マスタデータのうち小束紙幣Ｔが有ることを判定する束有判定基準データ以上である、小束紙幣Ｔを検出していると判定する状態から、束有判定基準データ未満である、小束紙幣Ｔを検出していないと判定する状態への変化と、小束紙幣Ｔを検出していないと判定する状態から、検出していると判定する状態への変化との両方となっている。なお、貨幣検出反射データの上記の所定の変化として、左端検出ラインセンサ６７、左側帯検出ラインセンサ６８、右側帯検出ラインセンサ６９および右端検出ラインセンサ７０のいずれかが、指を検出していない状態から指を検出したと判定できる状態への変化を合わせても良い。
【００８８】
また、制御部２５は、すべての棒金収納部１２（ｃ）のそれぞれについて、一の棒金収納部１２（ｃ）に対して設けられた全閉検知センサ９６および全開検知センサ９７の検知結果である開閉位相データからこの一の棒金収納部１２（ｃ）が開閉両端位置以外にあり、かつ、この一の棒金収納部１２（ｃ）に対して設けられたロータリエンコーダ８８の開閉位相データからこの一の棒金収納部１２（ｃ）が停止していると判定した状態にあるとき、この一の棒金収納部１２（ｃ）に対して設けられた棒金セット検知センサ７６および棒金検出ラインセンサ７７のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００８９】
棒金セット検知センサ７６における貨幣検出反射データのこの所定の変化は、数量マスタデータに基づいて変化の有無が判定されるものであり、具体的には、貨幣検出反射データが、数量マスタデータのうち棒金Ｂが有ることを判定する棒金有判定基準データ以上である、棒金Ｂを検出していると判定する状態から、棒金有判定基準データ未満である、棒金Ｂを検出していないと判定する状態への変化と、棒金Ｂを検出していないと判定する状態から、検出していると判定する状態への変化との両方となっている。なお、貨幣検出反射データの上記の所定の変化として、棒金検出ラインセンサ７７が、指を検出していない状態から指を検出したと判定できる状態への変化を合わせても良い。
【００９０】
以上の構成の本実施形態に係る現金管理装置１０において、制御部２５は、収納部１２からの現金の取り出しを可能とする出庫モード、収納部１２への現金の収納を可能とする入庫モード、収納部１２に対する現金の取り出しおよび収納を可能とする入庫・出庫モード、異なる収納部１２間で現金の移動を可能とする収納部間移動モード、および一つの収納部１２内での現金の移動を可能とする収納部内移動モード等を実行可能となっている。
【００９１】
出庫モードは、操作者が、他の入出金機に補充したり顧客に出金する等の目的で収納部１２から棒金Ｂおよび小束紙幣Ｔのうちの少なくともいずれか一方を取り出す出庫時に選択するモードであり、入庫モードは、操作者が、補充等のため現金管理装置１０に棒金Ｂおよび小束紙幣Ｔのうちの少なくともいずれか一方を収納する入庫時に選択するモードである。入庫・出庫モードは、操作者が、入庫と出庫を一度に行う際に選択するモードである。
【００９２】
収納部間移動モードは、例えば、業務効率を向上させるため二つの収納部１２にばらけて収納されていた現金を一つの収納部１２に纏めたり、比較的効率良く作業できる収納部１２に他の収納部１２から現金を補充したりする際に実行されるもので、一の収納部１２から棒金Ｂおよび小束紙幣Ｔのうちの少なくともいずれか一方を取り出し、取り出した現金をそのまま他の収納部１２に収納する装置内移動時に選択するモードである。具体的に、異なる収納部１２間で移動可能な現金は、２段目および３段目の２つの小束収納部１２（ｂ）に収納可能な単一の束金種である万円券の小束紙幣と、４段目および５段目の２つの小束収納部１２（ｂ）に収納可能な単一の束金種である千円券の小束紙幣である。なお、収納部１２の収納を、２段以上に同一金種の小束紙幣あるいは棒金を収納するように設定すれば、五千円券の小束紙幣、二千円券の小束紙幣あるいは棒金を複数段の収納部１２間で移動する収納部間移動モードを実行することが可能である。    
【００９３】
「出庫モード、入庫モード、入庫・出庫モード」
出庫モード、入庫モード、入庫・出庫モードのいずれかを実行する入出庫取引時は、特開２０１２−４８３６３号公報に記載された入出庫取引時と同様である。以下、入出庫取引時の正常時の流れについて説明する。
【００９４】
まず、一の入出庫取引の開始にあたって、表示部１７に表示された選択画面にしたがって出庫モード、入庫モード、入庫・出庫モードのいずれか一つのモードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあれば、制御部２５は、出庫モード、入庫モード、入庫・出庫モードのいずれか選択された一つのモードを実行する。
【００９５】
出庫モードを実行する場合、実行開始にあたって、制御部２５は、出庫される棒金Ｂおよび小束紙幣Ｔの少なくともいずれか一方についての金種を示す金種入力データおよび金種毎の数量である取引数量入力データの操作部１９への入力を受け付ける。入庫モードを実行する場合も、実行開始にあたって、制御部２５は、入庫される棒金Ｂおよび小束紙幣Ｔの少なくともいずれか一方についての金種入力データおよび金種毎の取引数量入力データの操作部１９へ入力を受け付ける。入庫・出庫モードを実行する場合も、実行開始にあたって、制御部２５は、入庫される棒金Ｂおよび小束紙幣Ｔの少なくともいずれか一方についての金種入力データおよび金種毎の取引数量入力データの操作部１９へ入力と、出庫される棒金Ｂおよび小束紙幣Ｔの少なくともいずれか一方についての金種入力データおよび金種毎の取引数量入力データの操作部１９へ入力を受け付ける。操作部１９を介してこれら入力データが入力されると、制御部２５は、出庫、入庫、入庫・出庫のいずれか一つを示す区別データ、金種入力データおよび取引数量入力データを表示部１７に表示させるとともに、確定操作の入力を待ち、確定操作が操作部１９に入力されると、この一の入出庫取引の取引識別データとして、日時情報、操作者識別データ、区別データ、金種入力データ、および金種別の取引数量入力データを記憶部２６に記憶する。
【００９６】
そして、制御部２５は、入力された金種入力データに小束紙幣Ｔが含まれる場合は、含まれる金種の小束紙幣Ｔを収納している小束収納部１２（ｂ）について、対応するロック機構２２のロックを解除して開作動可能とするとともに対応する表示灯２３を点滅させる。また、入力された金種入力データに棒金Ｂが含まれる場合は、含まれる金種の棒金Ｂを収納している棒金収納部１２（ｃ）について、対応するロック機構２２のロックを解除して開作動可能とするとともに対応する表示灯２３を点滅させる。操作者は、ロックが解除された小束収納部１２（ｂ）あるいは棒金収納部１２（ｃ）を手動により前端位置まで移動させることになり、この状態で、小束紙幣Ｔあるいは棒金Ｂの出庫、入庫あるいは入出庫の両方を行うことになる。なお、複数の収納部１２のロック機構２２によるロックが解除されても、転倒防止機構１１０によって、一つの収納部１２が引き出されると、他の収納部１２の引き出しは規制されることになる。
【００９７】
例えば、制御部２５は、この一の入出庫取引にて入力された金種入力データに、一の小束収納部１２（ｂ）に収納されている小束紙幣Ｔが含まれる場合、この一の小束収納部１２（ｂ）のロック機構２２のロックを解除するとともにその表示灯２３を点滅させることになる。そして、制御部２５は、この一の小束収納部１２（ｂ）の現金管理装置本体１１からの引き出しが開始されると、この一の小束収納部１２（ｂ）用の全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置に移動させた状態で、操作者は、小束収納部１２（ｂ）に対する小束紙幣Ｔの出庫、入庫あるいはこれら両方を行うことになる。
【００９８】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、貨幣検出反射データの取り込みを終了させる。
【００９９】
このように一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられたセンサ６６〜７０の左右二組についての閉庫時の貨幣検出反射データから、上記のようにして、この一の小束収納部１２（ｂ）の各束収納凹部４９に収納された小束紙幣Ｔの数量検出データおよび個々の小束紙幣Ｔの金種検出データを取得する。制御部２５は、今回取得した金種別の数量検出データと、記憶部２６に記憶されている直前のこの一の小束収納部１２（ｂ）の金種別の数量検出データとから、この一の小束収納部１２（ｂ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引で入力された取引数量入力データと金種入力データとを総合した金種別の取引数量入力データと照合し、差異が存在したか否かを判定する。
【０１００】
差異が存在しなければ、制御部２５は、今回割り出した金種別の数量実取引データと、今回取得した金種別の数量検出データとを、この一の入出庫取引の取引識別データと関連付けて記憶部２６に記憶し、この一の小束収納部１２（ｂ）に対する開閉取引が終了したと判断する。
【０１０１】
なお、この一の入出庫取引にて入力された金種入力データに他の小束収納部１２（ｂ）に収納されている小束紙幣Ｔの金種が含まれている場合、制御部２５は、上記した一の小束収納部１２（ｂ）と同様の開閉取引を他の小束収納部１２（ｂ）に対して行う。
【０１０２】
また、例えば、この一の入出庫取引にて入力された金種入力データに、一の棒金収納部１２（ｃ）に収納されている棒金Ｂが含まれる場合、制御部２５は、この一の棒金収納部１２（ｃ）のロック機構２２のロックを解除するとともにその表示灯２３を点滅させることになり、その後、この一の棒金収納部１２（ｃ）の現金管理装置本体１１からの引き出しが開始されると、この一の棒金収納部１２（ｃ）用の全閉検知センサ９６、ロータリエンコーダ８８および全開検知センサ９７の開閉位相データからこの一の棒金収納部１２（ｃ）の開閉位置を検出することになり、これらの開閉位相データからこの一の棒金収納部１２（ｃ）が後端位置から前端位置まで正常に移動したか否かを判断する。棒金収納部１２（ｃ）を前端位置まで移動させた状態で、操作者は、棒金収納部１２（ｃ）に対する棒金Ｂの出庫、入庫あるいは入出庫の両方を行うことになる。
【０１０３】
この一の棒金収納部１２（ｃ）が後端位置から前端位置まで正常に移動したと判断した後、ロータリエンコーダ８８が検知ディスク８７の回転の検知を開始し且つ全開検知センサ９７が検知片９５を検知しない状態となることで、この一の棒金収納部１２（ｃ）の閉方向の移動開始を検出すると、制御部２５は、この一の棒金収納部１２（ｃ）に対して設けられたすべての棒金セット検知センサ７６およびすべての棒金検出ラインセンサ７７を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の棒金収納部１２（ｃ）が後端位置に正常に閉庫されたことが検出されると、貨幣検出反射データの取り込みを終了させる。
【０１０４】
そして、この一の棒金収納部１２（ｃ）が前端位置から後端位置に正常に閉庫されると、制御部２５は、この一の棒金収納部１２（ｃ）の表示灯２３を消灯し、この一の棒金収納部１２（ｃ）に対して設けられたすべての棒金セット検知センサ７６およびすべての棒金検出ラインセンサ７７についての閉庫時の貨幣検出反射データから、上記のようにして、この一の棒金収納部１２（ｃ）の各棒金収納凹部５９に収納された棒金Ｂの数量検出データおよび個々の棒金Ｂの金種検出データを取得する。制御部２５は、今回取得した金種別の数量検出データと、記憶部２６に記憶されている直前のこの一の棒金収納部１２（ｃ）の金種別の数量検出データとから、この一の棒金収納部１２（ｃ）における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引で入力された取引数量入力データと金種入力データとを総合した金種別の取引数量入力データと照合し、差異が存在したか否かを判定する。
【０１０５】
差異が存在しなければ、制御部２５は、今回割り出した金種別の数量実取引データと、今回取得した金種別の数量検出データとを、この一の入出庫取引の取引識別データと関連付けて記憶部２６に記憶し、この一の棒金収納部１２（ｃ）に対する開閉取引が終了したと判断する。
【０１０６】
なお、この一の入出庫取引にて入力された金種入力データに他の棒金収納部１２（ｃ）に収納されている棒金Ｂの金種が含まれている場合、制御部２５は、上記した一の棒金収納部１２（ｃ）と同様の開閉取引を他の棒金収納部１２（ｃ）に対して行うことになる。
【０１０７】
最後に、制御部２５は、小束収納部１２（ｂ）および棒金収納部１２（ｃ）のうち、この一の入出庫取引にて入力された金種入力データの金種を収納しているものすべてについて、開閉取引が終了したと判断すると、今回の一の入出庫取引が終了したと判断して、この一の入出庫取引のログデータとして、この一の入出庫取引の取引識別データ、日時情報、操作者識別データ、区別データ、金種入力データ、金種別の取引数量入力データおよび金種別の数量実取引データを関連つけて記憶部２６に記憶する。このログデータはプリンタ１６に印字可能である。
【０１０８】
「収納部間移動モード」
収納部間移動モードの実行時は、特開２０１２−４８３６３号公報に記載された入出庫取引時とほぼ同様にして出庫取引と入庫取引とを連続的に行わせる。以下、公報に記載された入出庫取引時と異なる部分を中心に説明する。
【０１０９】
まず、一つの現金管理装置１０内で現金を移動する一の収納部間移動処理の開始にあたって、表示部１７に表示された選択画面にしたがって収納部間移動モードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあると、制御部２５は、収納部間移動モードを実行する。
【０１１０】
収納部間移動モードを実行する場合、実行開始にあたって、制御部２５は、操作部１９に移動内容の入力を受け付ける入力受付ステップを実行する。制御部２５は、入力受付ステップにおいて、まず、収納部間移動処理が可能な収納部１２のみを操作部１９への選択操作が可能な状態とする。そして、収納部１２を表示部１７に表示させて、表示された収納部１２の中から移動元の収納部の選択を促す。具体的に、収納部間移動処理が可能な収納部１２は、同一金種である万円券の小束紙幣Ｔを収納している上から２段目の小束収納部１２（ｂ）と上から３段目の小束収納部１２（ｂ）と、同一金種である千円券の小束紙幣Ｔを収納している上から４段目の小束収納部１２（ｂ）と上から５段目の小束収納部１２（ｂ）とである。
【０１１１】
このため、制御部２５は、２段目〜５段目の小束収納部１２（ｂ）のみについて、操作部１９への選択操作を受け付ける状態となり、６段目〜８段目の棒金収納部１２（ｃ）の操作部１９への選択操作は受け付けない状態となる。また、制御部２５は、図１３に示すように、表示部１７の表示領域Ａ１に、移動元の収納部１２の選択を促す表示を表示させる。さらに、制御部２５は、収納部１２の各段数とそれぞれの収納部１２が収納する金種とを示す表示領域Ａ２を表示部１７に表示させ、この表示領域Ａ２において、移動元として選択可能であって現在選択待機状態にある２段目の万円券の小束収納部１２（ｂ）を第１の色（例えば緑色）で、移動元として選択可能であって現在選択待機状態にない３段目の万円券の小束収納部１２（ｂ）と４段目の千円券の小束収納部１２（ｂ）と５段目の五千円券、二千円券および千円券の混合の小束収納部１２（ｂ）とを第２の色（例えば白色）で示す。なお、２段目の万円券の小束収納部１２（ｂ）が現在選択待機状態になければ、これを第２の色で示すことになり、他の現在選択待機状態にある小束収納部１２（ｂ）を第１の色で示すことになる。他方、表示部１７の表示領域Ａ２において、移動元として選択不可な、６段目〜８段目の棒金収納部１２（ｃ）を第３の色（例えば灰色）で示す。表示部１７の表示領域Ａ３には、第１の色で枠取りしその内側に現在選択待機状態にある収納部１２の段数を表示させる。
【０１１２】
移動元として２段目の小束収納部１２（ｂ）が選択待機状態にあり、この状態で確定操作が操作部１９へ入力されると、これが、移動元として２段目の小束収納部１２（ｂ）を選択する指定入力操作となる。このように移動元として２段目の小束収納部１２（ｂ）が選択入力されると、制御部２５は、移動元と同一金種の小束紙幣Ｔを収納していて移動先となり得る収納部１２が３段目の小束収納部１２（ｂ）のみとなるため、この３段目の小束収納部１２（ｂ）を自動的に移動先に設定する。
【０１１３】
また、移動元として３段目の小束収納部１２（ｂ）が選択入力されると、制御部２５は、移動先となり得る収納部１２が２段目の小束収納部１２（ｂ）のみとなるため、この２段目の小束収納部１２（ｂ）を自動的に移動先に設定する。さらに、移動元として４段目の小束収納部１２（ｂ）が選択入力されると、制御部２５は、移動先となり得る収納部１２が５段目の小束収納部１２（ｂ）のみとなるため、この５段目の小束収納部１２（ｂ）を自動的に移動先に設定する。さらに、移動元として５段目の小束収納部１２（ｂ）が選択入力されると、制御部２５は、移動先となり得る収納部１２が４段目の小束収納部１２（ｂ）のみとなるため、この４段目の小束収納部１２（ｂ）を自動的に移動先に設定する。
【０１１４】
つまり、制御部２５は、入力受付ステップにおいて、操作部１９への移動元の収納部１２の指定入力時には移動元となり得る収納部１２のみを選択入力可能とする。そして、移動元の収納部１２が選択されると、移動先の収納部１２が必然的に決まるためこれを自動設定する。
【０１１５】
ここでは、移動元の収納部１２が選択されると移動先の収納部１２が選択の余地なく決まるため、移動先を制御部２５が自動設定するようにしたが、例えば、同一束金種の小束紙幣を収納する収納部１２が三つ以上ある場合には、入力受付ステップにおいて、操作部１９への移動元の収納部１２の指定入力時には移動元となり得る収納部１２のみを選択入力可能とし、同様にして、操作部１９への移動先の収納部１２の指定入力時には移動先となり得る収納部１２のみを選択入力可能とすることになる。
【０１１６】
例えば、上から５段目の小束収納部１２（ｂ）が、上記とは異なり五千円券にかえて万円券の小束紙幣Ｔを収納可能であるとすると、万円券の小束紙幣Ｔを収納している収納部１２が２段目、３段目および５段目の小束収納部１２（ｂ）になる。この場合、制御部２５は、例えば移動元として２段目の収納部１２が選択入力されると、３段目および５段目の小束収納部１２（ｂ）のみについて操作部１９への選択操作を受け付ける状態となる。それとともに、制御部２５は、図１４に示すように、表示部１７の表示領域Ａ２において、決定された移動元の２段目の収納部１２を第４の色（例えば青色）とし、移動先として選択可能であって現在選択待機状態にある３段目の万円券の小束収納部１２（ｂ）を第１の色（例えば緑色）とし、移動先として選択可能であって現在選択待機状態にない５段目の万円券、二千円券および千円券の混合の小束収納部１２（ｂ）を第２の色（例えば白色）で示し、移動先として選択不可な、６〜８段目の棒金収納部１２（ｃ）を第３の色（例えば灰色）で示す。このようにして、３段目および５段目が移動先として選択可能であることを表示する。勿論、３段目の万円券の小束収納部１２（ｂ）が現在選択待機状態になければ、これを第２の色で示すことになり、その際には選択待機状態にある５段目の万円券、二千円券および千円券の混合の小束収納部１２（ｂ）を第１の色で示すことになる。
【０１１７】
また、上記のように移動元の収納部１２の選択を先に行わせるのではなく、移動先の収納部１２の選択を先に行わせるようにしても良い。この場合も、制御部２５は、入力受付ステップにおいて、操作部１９への移動先の収納部１２の指定入力時には移動先となり得る収納部１２のみを選択入力可能とする。そして、移動先の収納部１２が選択されると、移動元の収納部１２が必然的に決まる場合はこれを自動設定することになり、移動元が複数から選択可能である場合には、操作部１９への移動元の収納部１２の指定入力時には移動元となり得る収納部１２のみを選択入力可能とする。
【０１１８】
入力受付ステップにおいて、次に、制御部２５は、図１５に示すように、表示部１７の表示領域Ｂ１に、移動する現金の数量である移動数量入力データの入力を促す表示を表示させ、表示領域Ｂ２に移動元の段数、表示領域Ｂ３に移動先の段数を表示させて、表示領域Ｂ４に、移動数量入力データの入力を受け付ける状態となる。ここでは、小束紙幣Ｔを移動させるため、移動数量入力データはその束数または金額での入力となる。
【０１１９】
例えば、移動元として２段目の小束収納部１２（ｂ）が、移動先として３段目の小束収納部１２（ｂ）が設定されている場合、および移動元として３段目の小束収納部１２（ｂ）が、移動先として２段目の小束収納部１２（ｂ）が設定されている場合は、万円券の小束紙幣Ｔのみが移動可能となるため、万円券の小束紙幣Ｔの数量の入力のみを受け付ける。このとき、束数が入力されると表示領域Ｂ４に、束数（図示例では１０束）を表示させるとともに金額（図示例では１０００００００円）を自動計算して表示させ、金額が入力されると表示領域Ｂ４に、金額（図示例では１０００００００円）を表示させるとともに束数（図示例では１０束）を自動計算して表示させる。また、例えば、移動元として４段目の小束収納部１２（ｂ）が、移動先として５段目の小束収納部１２（ｂ）が設定されている場合、および移動元として５段目の小束収納部１２（ｂ）が、移動先として４段目の小束収納部１２（ｂ）が設定されている場合は、千円券の小束紙幣Ｔのみが移動可能となるため、千円券の小束紙幣Ｔの数量の入力のみを受け付ける。
【０１２０】
ここで、制御部２５は、移動数量入力データの設定の参考のため、図１５に示す画面切替キーＢ５が操作部１９により選択操作されると、表示部１７の画面が切り替わり、図１６に示すように、表示領域Ｂ６に移動元の収納部１２の現在の在高（図示例では３０束＝３０００００００円）を、表示領域Ｂ７に移動先の収納部１２の現在の在高（図示例では５束＝５００００００円）を表示するようになっている。図１６に示すＡＣキーＢ８が操作部１９により選択操作されると、制御部２５は、表示部１７の表示を図１５に示す画面に戻す。
【０１２１】
制御部２５は、移動数量入力データの入力を受け付けるが、その際に、移動元の在高の範囲内であり、かつ移動先の在高に加算しても移動先の収納上限量を超えない範囲での移動数量入力データのみを受け付ける。このような移動数量入力データが操作部１９に入力されて確定操作が操作部１９に入力されると、制御部２５は、今回の収納部間移動処理の処理識別データに、日時情報、操作者識別データ、移動元の小束収納部１２（ｂ）の識別データ、移動先の小束収納部１２（ｂ）の識別データおよび移動数量入力データを含む移動内容を関連付けて記憶部２６に記憶して、入力受付ステップを終了し、次の移動元ロック解除ステップを実行する。
【０１２２】
「移動元ロック解除ステップ」
移動元ロック解除ステップは、今回の収納部間移動処理の移動内容にしたがって移動元の収納部１２のロックを解除し移動元の収納部１２を引き出し可能な状態とするステップである。制御部２５は、移動元ロック解除ステップの実行にあたり、今回の収納部間移動処理の入力受付ステップで入力された移動内容に含まれる移動元の識別データが示す一の小束収納部１２（ｂ）について、対応するロック機構２２のロックを解除して開作動可能とするとともに対応する表示灯２３を点滅させる。さらに、制御部２５は、表示部１７に、図１７に示すように、表示領域Ｃ１に、表示灯２３が点滅している収納部の引き出しを促す表示を行い、表示領域Ｃ２に、ロック解除状態にある移動元の小束収納部１２（ｂ）を示し、表示領域Ｃ３に取り出す小束紙幣Ｔの金種（図示例では万円券）を、表示領域Ｃ４に取り出すべき束数（図示例では１０束）を、表示領域Ｃ５に取り出し後の在高（図示例では２０束）を、それぞれ表示させて、移動元ロック解除ステップを終了し、次の取出確認ステップを実行する。
【０１２３】
「取出確認ステップ」
この取出確認ステップは、移動元の収納部１２の現金の取り出し状況を確認するステップである。移動元ロック解除ステップの後、今回の収納部間移動処理の移動内容に含まれる移動元の識別データが示す一の小束収納部１２（ｂ）の現金管理装置本体１１からの引き出しが開始されると、制御部２５は、この一の小束収納部１２（ｂ）用の全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置に移動させた状態で、操作者は小束紙幣Ｔの出庫を行うことになる。
【０１２４】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、制御部２５は、貨幣検出反射データの取り込みを終了させる。なお、この一の小束収納部１２（ｂ）は、後端位置に正常に閉庫されると、対応するロック機構２２により現金管理装置本体１１に自動的にロックされる。
【０１２５】
この一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられたセンサ６６〜７０の左右二組についての閉庫時の貨幣検出反射データから、上記のようにして、この一の小束収納部１２（ｂ）の各束収納凹部４９に収納された小束紙幣Ｔの数量検出データを取得する。制御部２５は、今回取得した数量検出データと、記憶部２６に記憶されている直前のこの一の小束収納部１２（ｂ）の数量検出データとから、この一の小束収納部１２（ｂ）における減分となる、今回の一の入出庫取引での、実移動の数量である数量実移動データを割り出す。そして、制御部２５は、この数量実移動データを、入力受付ステップで入力された移動内容に含まれる移動数量入力データと照合し、差異が存在したか否かを判定する。つまり、制御部２５は、入力受付ステップにおいて入力された移動元の収納部１２から取り出されるべき現金の内容と、取出確認ステップにおいて確認した当該移動元の収納部１２から実際に取り出された現金の内容との一致を判定する。
【０１２６】
差異が存在しなければ、制御部２５は、今回の取出確認ステップで割り出した数量実移動データと、今回の取出確認ステップで取得した数量検出データとを、今回の収納部間移動処理の処理識別データと関連付けて記憶部２６に記憶し、取出確認ステップが終了したと判断して、次の移動先ロック解除ステップを実行する。つまり、制御部２５は、移動元ロック解除ステップの実行後に移動元の収納部１２が閉状態から開状態となり再び閉状態になると、移動先ロック解除ステップを実行する。差異が存在した場合には、制御部２５は、移動元である一の小束収納部１２（ｂ）の対応するロック機構２２のみのロックを解除して開作動可能とするとともに対応する表示灯２３のみを点滅させて、表示部１７に移動元の小束収納部１２（ｂ）からの出庫にミスがあった旨とミスの内容（出庫不足であるか出庫超過であるかとその数量）の表示を行わせるとともに、音声発生部２０にエラー音を発生させる。
【０１２７】
「移動先ロック解除ステップ」
移動先ロック解除ステップは、入力受付ステップで入力された移動内容にしたがって移動先の収納部１２のロックを解除し移動先の収納部１２を引き出し可能な状態とするステップである。制御部２５は、移動先ロック解除ステップの実行にあたり、今回の収納部間移動処理の移動内容に含まれる移動先の識別データが示す一の小束収納部１２（ｂ）について、対応するロック機構２２のロックを解除して開作動可能とするとともに対応する表示灯２３を点滅させる。さらに、制御部２５は、図１８に示すように、表示部１７の表示領域Ｄ１に、表示灯２３が点滅している収納部１２の引き出しを促す表示を行い、表示領域Ｄ２に、ロック解除状態にある移動先の小束収納部１２（ｂ）を示し、表示領域Ｄ３に収納する小束紙幣Ｔの金種（図示例では万円券）を、表示領域Ｄ４に収納すべき（受け入れるべき）束数（図示例では１０束）を、表示領域Ｄ５に収納後の在高（図示例では１５束）を、それぞれ表示させて、移動先ロック解除ステップを終了し、次の収納確認ステップを実行する。
【０１２８】
「収納確認ステップ」
この収納確認ステップは、移動先の収納部１２の現金の収納状況を確認するステップである。移動先ロック解除ステップの後、今回の収納部間移動処理の移動内容に含まれる移動先の識別データが示す一の小束収納部１２（ｂ）の現金管理装置本体１１からの引き出しが開始されると、この一の小束収納部１２（ｂ）用の全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置まで移動させた状態で、操作者は小束紙幣Ｔの入庫を行うことになる。
【０１２９】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、制御部２５は、貨幣検出反射データの取り込みを終了させる。なお、この一の小束収納部１２（ｂ）は、後端位置に正常に閉庫されると、対応するロック機構２２により現金管理装置本体１１に自動的にロックされる。
【０１３０】
このように一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられたセンサ６６〜７０の左右二組についての閉庫時の貨幣検出反射データから、上記のようにして、この一の小束収納部１２（ｂ）の各束収納凹部４９に収納された小束紙幣Ｔの数量検出データを取得する。制御部２５は、今回取得した数量検出データと、記憶部２６に記憶されている直前のこの一の小束収納部１２（ｂ）の数量検出データとから、この一の小束収納部１２（ｂ）における増分となる、今回の一の入出庫取引での、実移動の数量である数量実移動データを割り出す。そして、制御部２５は、この数量実移動データを、入力受付ステップで入力された移動内容に含まれる移動数量入力データと照合し、差異が存在したか否かを判定する。つまり、制御部２５は、入力受付ステップにおいて入力された移動先の収納部１２へ収納されるべき現金の内容と、収納確認ステップにおいて確認した当該移動先の収納部１２に実際に収納された現金の内容との一致を判定する。
【０１３１】
差異が存在しなければ、制御部２５は、今回の収納確認ステップで割り出した数量実移動データと、今回の収納確認ステップで取得した数量検出データとを、今回の収納部間移動処理の処理識別データと関連付けて記憶部２６に記憶し、収納確認ステップが終了したと判断して、今回の収納部間移動処理を終了する。他方、差異が存在した場合には、制御部２５は、移動先である一の小束収納部１２（ｂ）の対応するロック機構２２のロックを解除して開作動可能とするとともに対応する表示灯２３を点滅させて、表示部１７に移動先の小束収納部１２（ｂ）への入庫にミスがあった旨とミスの内容（入庫不足であるか入庫超過であるかとその数）の表示を行わせるとともに、音声発生部２０にエラー音を発生させる。
【０１３２】
以上により、制御部２５は、一の収納部間移動処理が終了すると、その処理識別データに、今回の収納部間移動処理に関する、日時情報、操作者識別データ、移動元の小束収納部１２（ｂ）の識別データ、移動先の小束収納部１２（ｂ）の識別データおよび移動数量入力データを含む移動内容と、今回の収納部間移動処理に関する、取出確認ステップで割り出した数量実移動データおよび数量検出データと、収納確認ステップで割り出した数量実移動データおよび数量検出データとを、関連付けてログデータとして記憶部２６に記憶させる。このログデータはプリンタ１６に印字可能である。
【０１３３】
つまり、制御部２５は、複数の収納部１２間での現金の移動を可能とする収納部間移動モードを実行可能であり、この収納部間移動モードの実行開始に当たって操作部１９に入力された移動内容にしたがって移動元の収納部１２からの現金の取り出しおよび移動先の収納部１２への現金の収納を可能とするとともに移動元の収納部１２から移動先の収納部１２への現金の移動状況を管理することになる。また、制御部２５は現金の移動内容を記憶部２６に記憶させる。
【０１３４】
なお、一の収納部間移動処理が完了すると、そのジャーナル印字として、制御部２５は、例えば、図１９に示すように、収納部間移動処理であることを示す「機内現金移動」の表示と、日時情報を示す「ＸＸ年０３月１１日  １５：４０」の表示と、操作者名を示す「○○太郎」の表示と、処理識別データを示す「Ｎｏ．００１」の表示と、移動元を示す「２段目」の表示と、移動先を示す「３段目」の表示と、移動現金の状態を示す「小束棒金」の表示と、移動金種を示す「万」の表示と、移動数量を示す「１０束」および「１０，０００，０００」の表示と、移動の合計金額を示す「１０，０００，０００」の表示とをプリンタ１６により用紙Ｐに印字する。また、一の収納部間移動処理が完了すると、そのジャーナル印字として、制御部２５は、例えば、図２０に示すように、移動後の現金管理装置１０の全体の種別の在高を用紙Ｐに印字することも可能となっている。
【０１３５】
「収納部内移動モード」
まず、一の収納部内移動処理の開始にあたって、表示部１７に表示された選択画面にしたがって収納部内移動モードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあると、制御部２５は、収納部内移動モードを実行する。
【０１３６】
収納部内移動モードを実行する場合、実行開始にあたって、制御部２５は、操作部１９に一の収納部１２の指定を受け付ける。一の収納部１２が指定入力されると、制御部２５は、今回の収納部内移動処理の処理識別データに、日時情報、操作者識別データ、指定された収納部１２の識別データを関連付けて記憶部２６に記憶する。
【０１３７】
制御部２５は、今回の収納部内移動処理で指定された一の収納部１２について、対応するロック機構２２のロックを解除して開作動可能とするとともに対応する表示灯２３を点滅させる。その後、制御部２５は、この一の収納部１２用の全閉検知センサ９６、ロータリエンコーダ８８および全開検知センサ９７の開閉位相データからこの一の収納部１２の開閉位置を検出することになり、これらの開閉位相データからこの一の収納部１２が後端位置から前端位置まで正常に移動したか否かを判断する。収納部１２を前端位置まで移動させた状態で、操作者は現金の収納部内移動を行うことになる。
【０１３８】
この一の収納部１２が後端位置から前端位置まで正常に移動したと判断した後、ロータリエンコーダ８８が検知ディスク８７の回転の検知を開始し且つ全開検知センサ９７が検知片９５を検知しない状態となることで、この一の収納部１２の閉方向の移動開始を検出すると、制御部２５は、この一の収納部１２に対して設けられたセンサ６６〜７０あるいはセンサ７６，７７を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の収納部１２が後端位置に正常に閉庫されたことが検出されると、制御部２５は、貨幣検出反射データの取り込みを終了させる。なお、この一の収納部１２は、後端位置に正常に閉庫されると、対応するロック機構２２により現金管理装置本体１１に自動的にロックされる。
【０１３９】
このように一の収納部１２が前端位置から後端位置に正常に閉庫されると、制御部２５は、この一の収納部１２の表示灯２３を消灯し、この一の収納部１２に対して設けられたセンサ６６〜７０あるいはセンサ７６，７７についての閉庫時の貨幣検出反射データから、上記のようにして、この一の収納部１２に収納された現金の数量検出データを取得する。制御部２５は、今回取得した数量検出データと、記憶部２６に記憶されている直前のこの一の収納部１２の数量検出データとを照合し、差異が存在したか否かを判定する。
【０１４０】
差異が存在しなければ、制御部２５は、今回の収納部内移動処理を終了する。差異が存在した場合には、制御部２５は、今回の収納部内移動処理の対象である一の収納部１２の対応するロック機構２２のロックを解除して開作動可能とするとともに対応する表示灯２３を点滅させて、表示部１７に移動のミスがあった旨とミスの内容（移動後不足であるか移動後超過であるかとその数）の表示を行わせるとともに、音声発生部２０にエラー音を発生させる。
【０１４１】
以上に述べた本実施形態に係る現金管理装置１０によれば、制御部２５が、複数の収納部１２間での現金の移動を可能とする収納部間移動モードを実行可能であり、この収納部間移動モードの実行開始に当たって操作部１９に入力された移動内容にしたがって移動元の収納部１２からの現金の取り出しおよび移動先の収納部１２への現金の収納を可能とするとともに移動元の収納部１２から移動先の収納部１２への現金の移動状況を管理するため、操作数を減らすことが可能となる。したがって、現金の移動処理を容易かつ正確に短時間で行うことが可能となる。
【０１４２】
また、入力受付ステップでは操作部１９に移動内容の入力を受け付けることになり、移動元ロック解除ステップでは、入力された移動内容にしたがって移動元の収納部１２のロックを解除しこの収納部１２を引き出し可能な状態とすることになる。これにより操作者が移動元の収納部１２を引き出して現金を取り出すことになる。また、移動先ロック解除ステップでは、入力された移動内容にしたがって移動先の収納部１２のロックを解除しこの収納部１２を引き出し可能な状態とすることになる。これにより操作者が移動先の収納部１２を引き出して、上記のように移動元の収納部１２から取り出した現金を収納することになる。また、取出確認ステップでは、移動元の収納部１２の現金の取り出し状況を確認することになり、収納確認ステップでは、移動先の収納部１２の現金の収納状況を確認することになる。よって、操作数を確実に減らすことができる。したがって、現金の移動処理を容易かつ正確に短時間で行うことが確実にできる。
【０１４３】
また、制御部２５が、入力受付ステップにおいて、操作部１９への移動元の収納部１２の指定入力時には移動元となり得る収納部１２のみを選択入力可能とするため、移動元の選択ミスを減らすことができる。したがって、現金の移動処理を容易かつ正確に短時間で行うことが一層確実にできる。
【０１４４】
また、制御部２５が、入力受付ステップにおいて、操作部１９への移動先の収納部１２の指定入力時には移動先となり得る収納部１２のみを選択入力可能とするため、移動先の選択ミスを減らすことができる。したがって、現金の移動処理を容易かつ正確に短時間で行うことが一層確実にできる。
【０１４５】
また、制御部２５が、入力受付ステップにおいて、移動元の収納部１２および移動先の収納部１２の現在の在高を表示部１７に表示可能であるため、これらを表示させることで、移動元および移動先の選択ミスをさらに減らすことができる。したがって、現金の移動処理を容易かつ正確に短時間で行うことが一層確実にできる。
【０１４６】
また、移動元ロック解除ステップの実行後に移動元の収納部１２が閉状態から開状態となり再び閉状態になると、制御部２５が、移動先ロック解除ステップを自動的に実行することになるため、さらに操作数を減らすことができる。したがって、現金の移動処理を容易かつ正確に短時間で行うことが一層確実にできる。
【０１４７】
また、制御部２５が、入力受付ステップにおいて入力された移動元の収納部１２から取り出されるべき現金の内容と、取出確認ステップにおいて確認した当該移動元の収納部１２から実際に取り出された現金の内容との一致を判定するため、例えば不一致の場合にアラームを発生させることにより、移動元の収納部１２からの取り出しミスや不正行為を防止することができる。
【０１４８】
また、制御部２５が、入力受付ステップにおいて入力された移動先の収納部１２へ収納されるべき現金の内容と、収納確認ステップにおいて確認した当該移動先の収納部１２に実際に収納された現金の内容との一致を判定するため、例えば不一致の場合にアラームを発生させることにより、移動先の収納部１２への収納ミスや不正行為を防止することができる。
【０１４９】
また、制御部２５が、収納部内移動モードを実行することで、一つの収納部１２内での現金の移動が可能となり、一つの収納部１２内での現金の整理を行うことができる。
【０１５０】
また、制御部２５が、現金の移動内容を記憶部２６に記憶させるため、現金の移動内容を後で確認することができる。したがって、移動のミスや不正行為を防止することができる。
【０１５１】
なお、上記実施形態においては、小束紙幣Ｔを入出庫可能に収納する小束収納部１２（ｂ）および棒金Ｂを入出庫可能に収納する棒金収納部１２（ｃ）の両方を設ける場合を例にとり説明したが、小束収納部１２（ｂ）および棒金収納部１２（ｃ）のいずれか一方のみを有する現金管理装置としても良い。
【符号の説明】
【０１５２】
１０  現金管理装置
１１  現金管理装置本体
１２  収納部
１７  表示部（表示手段）
１９  操作部（操作手段）
２５  制御部（制御手段）
２６  記憶部(ログ記憶手段)
Ｂ  棒金（現金）
Ｔ  小束紙幣（現金）
【図１】
0006017376.tif 000002
【図２】
0006017376.tif 000003
【図３】
0006017376.tif 000004
【図４】
0006017376.tif 000005
【図５】
0006017376.tif 000006
【図６】
0006017376.tif 000007
【図７】
0006017376.tif 000008
【図８】
0006017376.tif 000009
【図９】
0006017376.tif 000010
【図１０】
0006017376.tif 000011
【図１１】
0006017376.tif 000012
【図１２】
0006017376.tif 000013
【図１３】
0006017376.tif 000014
【図１４】
0006017376.tif 000015
【図１５】
0006017376.tif 000016
【図１６】
0006017376.tif 000017
【図１７】
0006017376.tif 000018
【図１８】
0006017376.tif 000019
【図１９】
0006017376.tif 000020
【図２０】
0006017376.tif 000021